(57)【要約】【課題】映像処理装置における報知表示のトリガ検出後、この映像処理装置へ実行する操作処理をユーザーに認知させることができる映像処理装置、情報端末及びサーバーを提供する。【解決手段】トリガを検出するトリガ検出手段と、前記トリガの検出結果に基づいてサーバーから報知表示データとこの報知表示データに関連がある操作指示を受信する受信手段と、前記報知表示データに基づく報知表示信号を出力する出力手段と、前記操作指示に基づく操作処理をする制御手段とを備えた映像処理装置。【選択図】  図１
2014140142.tif 000002
【特許請求の範囲】
【請求項１】
トリガを検出するトリガ検出手段と、
前記トリガの検出結果に基づいてサーバーから報知表示データとこの報知表示データに関連がある操作指示を受信する受信手段と、
前記報知表示データに基づく報知表示信号を出力する出力手段と、
前記操作指示に基づく操作処理をする制御手段とを
備えた映像処理装置。
【請求項２】
前記関連は、前記報知表示信号を出力することが前記操作処理と同時に或いは先行して実施されることを、含むことである請求項１に記載の映像処理装置。
【請求項３】
前記トリガは、ユーザーアクション由来以外の前記映像処理装置の動作に起因するものである請求項１に記載の映像処理装置。
【請求項４】
前記トリガは、配信された又は配信される放送番組の放送内容情報に基づき発せられる請求項１に記載の映像処理装置。
【請求項５】
前記放送内容情報は、前記放送番組のジャンル情報である請求項４に記載の映像処理装置。
【請求項６】
前記サーバーにおける前記報知表示データと前記操作指示を編集・登録する編集・登録手段を更に備えた請求項１に記載の映像処理装置。
【請求項７】
映像処理装置への報知表示データとこの報知表示データに関連がある操作指示をこの映像処理装置へ送信する送信手段と、
前記映像処理装置または情報端末へ前記報知表示データと前記操作指示をリスト表示させ、選択させる編集・登録補助手段とを備えたサーバー。
【請求項８】
請求項７に記載のサーバーにおける前記報知表示データと前記操作指示を編集・登録する編集・登録手段を備えた情報端末。
【発明の詳細な説明】
【技術分野】
【０００１】
本発明の実施形態は、例えばサーバーに登録した情報に応じたTV操作機能に係わる映像処理装置、情報端末及びサーバーに関する。
【背景技術】
【０００２】
TV（テレヴィジョン）などの映像処理装置では、或るトリガに対しアニメーションなどの報知表示をすることが工夫されてきている。
例えば、映像上に任意のタイミングで任意のアニメーションを重ねることを基本的な目的としている例がある。この任意のタイミングはユーザーのアクション（タッチ操作等)が必要で、実行されるのはアニメーションの再生（ビデオへの重畳)である。
【０００３】
また、ユーザーにシステム操作の際に、操作に応じてアニメーション構成・再生し、操作が実行されることを認知させるためのユーザービリティを高めることを基本的な目的としている例がある。
【０００４】
動作のトリガはシステムの状態が変った際であり、実行されるのはアニメーションの再生（ビデオへの重畳)であり、アニメーションデータはシステムの中にあり、システム内で状況に応じて構成される。
【０００５】
しかしながら更に、ＴＶのような映像処理装置においてアニメーションなどの報知表示をするためのトリガ検出後、この報知表示が、映像処理装置へ実行する任意のアクション（操作処理）をユーザーに認知させるための報知表示となることへの要望があるが、かかる要望を実現するための手段は知られていない。
【先行技術文献】
【特許文献】
【０００６】
【特許文献１】特開２０１２−１３４９４２号公報
【特許文献２】特開２００５−１３５１０６号公報
【発明の概要】
【発明が解決しようとする課題】
【０００７】
本発明の実施の形態は、映像処理装置における報知表示のトリガ検出後、この映像処理装置へ実行する操作処理をユーザーに認知させることができる映像処理装置、情報端末及びサーバーを提供することを目的とする。
【課題を解決するための手段】
【０００８】
上記課題を解決するために、実施形態によれば映像処理装置は、トリガを検出するトリガ検出手段と、前記トリガの検出結果に基づいてサーバーから報知表示データとこの報知表示データに関連がある操作指示を受信する受信手段と、前記報知表示データに基づく報知表示信号を出力する出力手段と、前記操作指示に基づく操作処理をする制御手段とを備える。
【図面の簡単な説明】
【０００９】
【図１】この発明の一実施形態を示す情報サーバーを含めた接続図。
【図２】一実施形態におけるリモートコントローラの一例を示す外観図。
【図３】一実施形態におけるＤＴＶ及びリモートコントローラの内部構成の一例を示すブロック図。
【図４】同実施形態の実施例１のＴＶセットを示す機能ブロック構成図。
【図５】実施形態の電子機器の外観の一例を示す斜視図。
【図６】実施形態の電子機器のシステム構成を示すブロック図。
【図７】実施形態に係わる情報処理装置（サーバー）のシステム構成を示す図。
【図８】同実施形態に用いられる情報サーバーを含めた接続図。
【図９】同実施形態のアニメ処理データの構造を示す説明図。
【図１０】同実施形態のトリガアクション設定画面例を示す図。
【図１１】同実施形態のアニメ処理データ選択画面例を示す図。
【図１２】同実施形態の実施例２の情報サーバーを含めた接続図。
【図１３】同実施形態のデータ構成要素データの構造を示す図。
【図１４】同実施形態のデータ作成ツール実行画面例を示す図。
【図１５】同実施形態の実施例３の情報サーバーとPC等情報端末の接続図。
【発明を実施するための形態】
【００１０】
以下、一実施形態を図１乃至図１５を参照して説明する。
【００１１】
（実施例１）
本実施形態では、TVセット上の任意の状態をトリガとして、ネットワーク上の情報サーバーにあらかじめアニメ処理データとして登録されているアニメーションデータ・操作指示・実行タイミングの情報に応じ、TV画面上にアニメーションを表示しながら、アニメーション表示中の任意のタイミングで任意の処理を実施する機能を提供する。
【００１２】
図１は、一実施形態を示す情報サーバーを含めた概要構成図を示している。本実施形態のTVセット１は、図１に示すように、ネットワークを介して、情報サーバー７０と接続されている。機能フロー概念は次のようである。
【００１３】
（１）リモコン／情報端末でユーザーは、情報サーバー７０上のデータＡを実行するための特定のリモコン操作を行う。
（２）TVセット１は、この操作に応じた登録情報の確認を情報サーバー７０に対して行う。
（３）情報サーバー７０は、データＡの情報をTVセット１に対して送信する。
（４）TVセット１は、視聴画面上へのデータＡに登録されているアニメーション表示および操作を実行する。
必要な準備として事前に、アニメーションおよび操作の情報であるデータＡを例えばＰＣ等情報端末１０を用いて情報サーバー７０に登録しておく。
まず本実施形態における画像表示システムの一例として、次に詳述するＤＴＶ１、リモートコントローラ２０から成る、画像表示システムがある。
ＤＴＶ１は本実施形態における電子機器の一例としてのデジタルテレビジョン（Digital Television）であり、受信した放送波の放送信号から映像・音声情報を抽出し、これらを出力する機能を有している。またＤＴＶ１は、例えばインターネットのような大規模ネットワーク網（WAN:：Wide Area Network）と接続されており、この大規模ネットワークに接続されている他の機器と通信可能となっている。実施形態における電子機器の一例としてここではＤＴＶ１を示すが、これに限定されるものではない。電子機器の他の例示としては、ＰＣ（Personal Computer）他のような様々な機器が考えられる。
【００１４】
リモートコントローラ２０は複数の操作スイッチ（キー）を有しており、この操作スイッチが押下されると、これに応じてＤＴＶ１の操作を行うための信号を送信する機能を有している。信号の形式は、例えば、ＲＦ(Radio Frequency)信号やＩＲ（Infrared）信号を用いるのが一般的であるが、本実施形態では有線、無線の区別を問わない。
【００１５】
画像表示システムはＤＴＶ１とリモートコントローラ２０より構成されており、ユーザーはリモートコントローラ２０を用いてＤＴＶ１を操作して所定の処理を行わせ、画像を表示させることができる。
【００１６】
まず先にリモートコントローラ２０の詳細な構造を説明する。図２は本実施形態におけるリモートコントローラ２０の一例を示す外観図である。
リモートコントローラ２０はＤＴＶ１の各種機能を操作するための複数のキー（スイッチ）を有している。本実施形態において、この複数のキーはキー２１、タッチパッド２２、十字キー２３およびサイドキー２１ａによって構成されている。
【００１７】
キー２１はＤＴＶ１の各種機能を実行するために設けられたキーであって、リモートコントローラ２０はそれぞれのキーへのユーザーの押下操作に応じて異なる操作信号を発信する。キー２１にはＤＴＶ１の電源投入と遮断とを切り替える電源キーと、表示する映像情報のソースを切り替える入力切替キー、ゲーム、地デジ、ＢＳ又はＣＳを選択するキーを備えた入力切替キー群と、チャンネルの選択や文字の入力等を行うチャンネル文字キー群、チャンネルの切り替えを行うチャンネル切替キーと、画面の表示形式を選択する画面表示キー、音量を調整する音量調整キー、各種ＤＴＶ１の機能を実現させるための色が割り当てられたカラーキー等の様々なキーが含まれている。また、ＤＴＶ１に表示されたカーソルの所定の位置での選択操作を行うための決定キーもこれに含まれる。本実施形態の説明においては便宜上これらのキーをサイドキー２１ａを含め一纏めのキー２１として説明し、タッチパッド２２及び十字キー２３をこのキー２１とは分けて説明する。
【００１８】
タッチパッド２２は、例えばユーザーの指等によるタッチパッド２２表面への接触を静電容量の変化で検知し、この検知点を示す検知信号を出力する機能を有している。このタッチパッド２２の表面を指でなぞることによって、ユーザーはＤＴＶ１に表示されたカーソルの操作を行うことが可能である。
【００１９】
十字キー２３は、リモートコントローラ２０内部の、タッチパッド２２の裏面に対向に位置に設けられており、ユーザーに押下されたタッチパッド２２の裏面が接触することで、この押圧を検知して検知信号を出力する。十字キー２３は図２中のポイントＡのリモートコントローラ２０内部に当たる位置に上下左右が割り当てられて４つ設けられている。この4つのスイッチから構成される十字キー２３は、それぞれの上下左右の方向を示す信号を出力する。
【００２０】
本実施形態において、リモートコントローラ２０はタッチパッド２２と十字キー２３とが一体として設けられている（タッチパッド２２が十字キー２３と兼用されている）。十字キー２３が押下される際にはユーザーの指はタッチパッド２２に接触しており、このときにはタッチパッド２２と十字キー２３はそれぞれ検知信号を出力することとなる。
【００２１】
本実施形態におけるリモートコントローラ２０ではタッチパッド２２と十字キー２３とが外部から見て同じ位置に設けられているように例示したがこれに限定されず、異なった位置に独立してそれぞれが設けられていてもよい。
【００２２】
次に図３は本実施形態における電子機器であるＤＴＶ１及びリモートコントローラ２０の内部構成の一例を示すブロック図である。先ずＤＴＶ１に関する説明を行う。
【００２３】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ２０から送信され受信部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。
【００２４】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。PSK復調器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。
【００２５】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。チューナ１５０の１１個それぞれのチューナで取得した地上波デジタルテレビジョン放送は、これらの複数個のＯＦＤＭ復調器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００２６】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００２７】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００２８】
ＯＳＤ（On Screen Display）信号生成部１５４は、制御部１５６の制御に従って、ＵＩ（ユーザー・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２９】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００３０】
映像処理部１５５は、グラフィック処理部１５２から出力された信号を、表示部１２０で表示可能なフォーマットのアナログ映像信号に変換する。アナログに変換された映像信号は、表示部１２０に表示される。
【００３１】
音声処理部１５３は、入力された音声信号を、スピーカ１１０で再生可能なフォーマットのアナログ音声信号に変換する。アナログに変換された音声信号は、スピーカ１１０に出力されて再生される。
【００３２】
カードホルダ１６１は、カードＩ／Ｆ（Interface）１６０を介して制御部１５６に接続されている。メモリカード１１９は、このカードＩ／Ｆ１６０に装着可能である。メモリカード１１９は、例えばＳＤ（Secure Digital）メモリカード、ＭＭＣ（Multimedia Card）及びＣＦ（COMPACTFLASH（登録商標））カード等の記憶媒体である。カードホルダ１６１に装着されたメモリカード１１９、及び制御部１５６は、カードＩ／Ｆ１６０を介して情報の書込み／読み出しを行うことができる。
【００３３】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブル（図示しない）が接続されており、インターネットと通信可能となっている。
【００３４】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部
【００３５】
１５６は、ＵＳＢ端子１３３を介して接続される機器との間で、情報の通信（送受信）を行うことができる。
ＨＤＤ１７０はＤＴＶ１に内蔵される磁気記憶媒体（Hard Disk Drive）であってＤＴＶ１が有する各種情報を記憶する機能を有している。
次にリモートコントローラ２０に関する説明を行う。
キー２１、タッチパッド２２、及び十字キー２３より出力される検知信号は、リモコン制御部２４に入力される。リモコン制御部２４は入力された信号に基づいて、ＤＴＶ１を操作するための操作信号を生成し、送信部２５によって外部に送信させる。この送信された操作信号を受信部１１８が受信するとＤＴＶ１はこの操作信号に応じた所定の処理を実行する。
【００３６】
本実施形態においては、キー２１の押下によってリモートコントローラ２０（以下、リモコン）から送信される信号をキー操作信号、タッチパッド２２をなぞることによって送信される信号をタッチパッド操作信号、十字キー２３を押下することによって送信される信号を十字キー操作信号と呼ぶこととする。
【００３７】
さて本実施形態は、短時間の情報を簡単な操作で一時保存しておくことを可能とする放送受信装置である。
本実施形態の中心となるTVセット１の機能自体は、図４に示すように、システム制御機能ブロック４１、信号入力処理ブロック４２、信号デコード処理ブロック４３、UI画面作成処理ブロック４４、映像・音声多重化ブロック４５、映像音声出力ブロック４６等からなる既存のTV機能ブロックに加えて、ネットワークI/F４７、データ作成クライアント機能４８、トリガアクション管理部４９、データ処理機能部５０、アニメーション再生処理部５１、ファイルシステムＦの各ブロック（部）を持つTVセットを想定できる。
【００３８】
例えば、信号入力処理ブロック４２は、チューナ１４５とＰＳＫ復調器１４６などに拠る。信号デコード処理ブロック４３は、ＴＳ復号器１４７ａなどに拠る。
UI画面作成処理ブロック４４は、ＯＳＤ（On Screen Display）信号生成部１５４などに拠る。また映像・音声多重化ブロック４５において映像信号は、グラフィック処理部１５２に拠る。映像音声出力ブロック４６は映像処理部１５５などに拠る。
【００３９】
ネットワークI/F４７は、ＬＡＮＩ／Ｆ１６４などに拠る。またアニメーション再生処理部５１は、信号処理部１００などに拠る。制御部１５６は、データ作成クライアント機能４８、トリガアクション管理部４９、データ処理機能部５０の主体であり、またシステム制御機能ブロック４１としてＨＤＤ１７０に対応するファイルシステムＦを用いて、各部の動作を補完し司る。
【００４０】
さて既存のTV機能ブロックは以下のような構成、動作である。まずシステム制御機能ブロック４１は、リモコンからの信号およびTVセットのシステムの状態などに応じて、その他の処理ブロックに対して制御を行う。
【００４１】
信号入力処理ブロック４２は、アンテナ入力/HDMI/ビデオ端子など外部からの映像・音声信号の入力を処理する機能ブロックである。また信号デコード処理ブロック４３は、信号入力処理ブロック４２で処理されたデジタル放送等のストリームデータをデコードもしくはアナログ入力データをキャプチャして、映像・音声データに変換する機能ブロックである。
【００４２】
UI画面作成処理ブロック４４は、システム制御機能ブロック４１等の指示に応じて、Graphics表示されるメニュー画面等のUser Interface映像を作成し、映像・音声多重化ブロック４５へ出力する機能ブロックである。
【００４３】
映像・音声多重化ブロック４５は、他のブロックから入力される映像・音声データを多重化（重ねて表示する）する機能ブロックであり、信号デコード処理ブロック４３からの放送映像に、UI画面作成処理ブロック４４からのメニュー画面などを重ねて表示させたり、放送音声に効果音を重ねるような処理を行う。映像音声出力ブロック４６は、映像・音声多重化ブロック４５からの映像・音声の信号を実際のLCDパネルやスピーカへ出力する機能ブロックである。
【００４４】
一方、本実施形態で追加する機能は以下のような構成と動作である。まずネットワークI/F４７は、一般的なLAN接続のネットワーク通信を行うためのインターフェイスである。
【００４５】
データ作成クライアント機能４８は、UI画面作成処理ブロック４４を介し、TV画面上に図１０に示すようなユーザーのトリガアクション設定操作画面を表示する。トリガアクションとしては、システム制御機能ブロック４１が実行する任意の制御を指定可能で、本実施例では、画面上にリスト形式で表示されるリストから選択して指定する。
【００４６】
図１０においては斜線掛けで示したように「ＯＦＦタイマ発動」が選ばれており、リモコンを用いて決定ボタンを押せば「ＯＦＦタイマ発動」がトリガアクションとして設定される。なおスライダーＳはトリガアクションリストの表示位置を示していて、即ち現在表示の上方に相当また下方により多くトリガアクションリストの残りが在る状況である。
【００４７】
ユーザーは、この画面での操作により、システム制御機能ブロック４１が実行する各制御のうち一つをトリガアクションとして設定し、設定された動作はトリガアクション管理部４９へ登録される。
【００４８】
次にデータ作成クライアント機能４８は、図１１に示すようなトリガアクションに連動するアニメ処理データ登録画面を表示する。この際、データ作成クライアント機能４８はネットワークI/F４７を介して、図８に示す情報サーバー７０上に存在する「アニメ処理データ」の情報を取得し、画面上にリストを表示し、ユーザーはこの画面での操作にて、トリガアクションが実施された際に実行するアニメ処理データを選択する（この例ではａが選ばれている）。
【００４９】
選択され同様に設定されたアニメ処理データの「ID番号」は先に登録されているトリガアクション組み合わせてトリガアクション管理部４９へ登録される。
トリガアクション管理部４９は、システム制御機能ブロック４１より、次にTVセットが行う制御情報を、受け取り、登録されているトリガアクションの制御と一致するかを確認する。この制御情報が、登録されているトリガアクションと一致する場合、データ処理機能部５０およびシステム制御機能ブロック４１へ、トリガアクションと組み合わせて登録されている「ID番号」を通知する。
【００５０】
制御情報が、登録されているトリガアクションと一致しない場合、システム制御機能ブロック４１へAckを通知する。
システム制御機能ブロック４１は、本実施例では、リモコンからの信号およびTVセットのシステムの状態などに応じて、次にTVが行う制御を行う前に、トリガアクション管理部４９へ通知し、トリガアクション管理部４９からの返答で、Ackが通知される場合は、一般的な各種の次の（他の）制御を実行し、ID番号が通知される場合は、この制御を行わない。
【００５１】
図５は、情報機器（ＰＣ等情報端末）の一実施形態である電子機器の外観を示す斜視図である。この電子機器は、例えば、ペンまたは指によって手書き入力可能なペン・ベースの携帯型電子機器である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を想定する。タブレットコンピュータ１０は、タブレットまたはストレートコンピュータとも称される携帯型電子機器であり、図５に示すように、本体１１とタッチスクリーンディスプレイ１７とを備える。タッチスクリーンディスプレイ１７は、本体１１の上面に重ね合わせるように取り付けられている。
【００５２】
本体１１は、薄い箱形の筐体を有している。タッチスクリーンディスプレイ１７には、フラットパネルディスプレイと、フラットパネルディスプレイの画面上のペンまたは指の接触位置を検出するように構成されたセンサとが組み込まれている。フラットパネルディスプレイは、例えば、液晶表示装置（ＬＣＤ）であってもよい。センサとしては、例えば、静電容量方式のタッチパネル、電磁誘導方式のデジタイザなどを使用することができる。以下では、デジタイザとタッチパネルの２種類のセンサの双方がタッチスクリーンディスプレイ１７に組み込まれている場合を想定する。
【００５３】
デジタイザおよびタッチパネルタッチの各々は、フラットパネルディスプレイの画面を覆うように設けられる。このタッチスクリーンディスプレイ１７は、指を使用した画面に対するタッチ操作のみならず、ペン１９を使用した画面に対するタッチ操作も検出することができる。ペン１９は例えば電磁誘導ペンであってもよい。ユーザーは、外部オブジェクト（ペン１９又は指）を使用してタッチスクリーンディスプレイ１７上で手書き入力操作を行うことができる。手書き入力操作中においては、画面上の外部オブジェクト（ペン１９又は指）の動きの軌跡、つまり手書き入力操作によって手書きされるストロークの軌跡（筆跡）がリアルタイムに描画され、これによって各ストロークの軌跡が画面上に表示される。外部オブジェクトが画面に接触されている間の外部オブジェクトの動きの軌跡が１ストロークに相当する。手書きされた文字または図形などに対応する多数のストロークの集合、つまり多数の軌跡（筆跡）の集合が手書き文書を構成する。
【００５４】
本実施形態では、この手書き文書は、イメージデータではなく、各ストロークの軌跡の座標列とストローク間の順序関係を示す時系列情報として記憶媒体に保存される。この時系列情報は、概して、複数のストロークにそれぞれ対応する時系列のストロークデータの集合を意味する。各ストロークデータは、ある一つのストロークに対応し、このストロークの軌跡上の点それぞれに対応する座標データ系列（時系列座標）を含む。これらストロークデータの並びの順序は、ストロークそれぞれが手書きされた順序つまり筆順に相当する。
【００５５】
タブレットコンピュータ１０は、記憶媒体から既存の任意の時系列情報を読み出し、この時系列情報に対応する手書き文書、つまりこの時系列情報によって示される複数のストロークそれぞれに対応する軌跡を画面上に表示することができる。さらに、タブレットコンピュータ１０は編集機能を有している。この編集機能は、「消しゴム」ツール、範囲指定ツール、および他の各種ツール等を用いたユーザーによる編集操作に応じて、表示中の手書き文書内の任意のストロークまたは任意の手書き文字等を削除または移動することができる。さらに、この編集機能は、幾つかの手書き操作の履歴を取り消す機能も含んでいる。
【００５６】
本実施形態では、時系列情報（手書き文書）は、１つまたは複数のページとして管理されうる。この場合、時系列情報（手書き文書）を１つの画面に収まる面積単位で区切ることによって、１つの画面に収まる時系列情報のまとまりを１つのページとして記録してもよい。あるいは、ページのサイズを可変できるようにしてもよい。この場合、ページのサイズは１つの画面のサイズよりも大きい面積に広げることができるので、画面のサイズよりも大きな面積の手書き文書を一つのページとして扱うことができる。１つのページ全体をディスプレイに同時に表示できない場合は、そのページを縮小するようにしてもよいし、縦横スクロールによってページ内の表示対象部分を移動するようにしてもよい。
【００５７】
図６は、タブレットコンピュータ１０のシステム構成を示す図である。
タブレットコンピュータ１０は、図６に示されるように、ＣＰＵ１０１、システムコントローラ１０２、主メモリ１０３、グラフィクスコントローラ１０５、ＢＩＯＳ−ＲＯＭ１０５、不揮発性メモリ１０６、無線通信デバイス１０７、エンベデッドコントローラ（ＥＣ）１０８等を備える。
【００５８】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１、および各種アプリケーションプログラムが含まれている。アプリケーションプログラムには、デジタルノートブックアプリケーションプログラム２０２が含まれている。このデジタルノートブックアプリケーションプログラム２０２は、上述の手書き文書を作成および表示する機能、手書き文書を編集する機能、および文字・図表認識機能等を有している。
【００５９】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００６０】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００６１】
グラフィクスコントローラ１０４は、本タブレットコンピュータ１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７Ａは、表示信号に基づいて画面イメージを表示する。このＬＣＤ１７Ａ上にはタッチパネル１７Ｂおよびデジタイザ１７Ｃが配置されている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。デジタイザ１７ＣはＬＣＤ１７Ａの画面上で入力を行うための電磁誘導式のポインティングデバイスである。ペン１９が接触される画面上のペン１９の位置（座標）およびペン１９の位置の動き等はデジタイザ１７Ｃによって検出される。デジタイザ１７Ｃは、画面上のペン１９の位置を示す座標を出力する。
【００６２】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザーによるパワーボタンの操作に応じて本タブレットコンピュータ１０を電源オンまたは電源オフする機能を有している。
【００６３】
ところで一方図７は、後述のネットワークを中継する（情報）サーバー７０のハードウェアなどのシステム構成の一例を示すものである。
図７に示すように、このサーバー７０は、ＣＰＵ７１、ノースブリッジ７２、主メモリ７３、サウスブリッジ７４、ＢＩＯＳ−ＲＯＭ７５、磁気ディスク駆動装置（ＨＤＤ）７６、光磁気ディスク駆動装置（ＯＤＤ）７７、エンベデッドコントローラ／キーボードコントローラＩＣ（ＥＣ／ＫＢＣ）７８、ネットワークコントローラ７９等を備えている。
【００６４】
ＣＰＵ７１は、本サーバー７０の動作を制御するメインプロセッサである。このＣＰＵ７１は、ＨＤＤ７６から主メモリ７３にロードされる、オペレーティングシステム、各種アプリケーションプログラムおよびユーティリティプログラムを実行する。
【００６５】
ノースブリッジ７２は、ＣＰＵ７１のローカルバスとサウスブリッジ７４との間を接続するブリッジデバイスである。また、ノースブリッジ７２には、ＣＲＴディスプレイ２を制御する表示コントローラおよび主メモリ７３を制御するメモリコントローラも内蔵されている。
【００６６】
サウスブリッジ７４は、例えばＰＣＩ（peripheral component interconnect）バスやＬＰＣ（low pin count）バスに接続された各種Ｉ／Ｏデバイスを制御するためのＩ／Ｏコントローラとして機能する。また、このサウスブリッジ７４には、ＨＤＤ７６およびＯＤＤ７７を制御するＩＤＥ（Integrated Drive Electronics）も内蔵されている。ＢＩＯＳ−ＲＯＭ７５も、このサウスブリッジ７４によってアクセスが制御される。ＢＩＯＳ−ＲＯＭ７５は、システムＢＩＯＳを電気的に書き換え可能に格納するフラッシュＲＯＭである。
【００６７】
ＥＣ／ＫＢＣ７８は、電源管理のためのエンベデッドコントローラと、キーボード（ＫＢ）８３およびマウス８４などを制御するキーボードコントローラとが集積された１チップマイクロコンピュータである。ネットワークコントローラ７９は、ＬＡＮを介した他のコンピュータとのデータ通信を制御する。
【００６８】
さて以上のようなハードウェア構成例を基にして、図８のようなシステムを組むことができる。即ち図８は、一実施形態を示す機能ブロック構成図である。図１の一実施形態を示す情報サーバーを含めた概要構成図を部分的により詳細化して示している。
【００６９】
即ち図１では、一台のTVセット１に対応したように、情報サーバー７０におけるデータＡと抽象的に概念説明をした。実際の運用としては、情報サーバー７０と接続する個別のTVセットｉに対応したTVディレクトリがあり、アニメ処理データｊ（ｊ＝Ａ〜Ｘ）といった構造を含んでいる。情報サーバー７０からの各TVセットｉの同定は、TVセットｉの製造番号の情報や、TVセットｉがネットプロバイダによる固定IPアドレスオプションサービス（いつも同じIPアドレス即ち、固定IPアドレス・グローバルIPv4アドレスで接続できるようになるもの）を受けるなどにより、実現できる。
【００７０】
図４のデータ処理機能部５０は、トリガアクション管理部４９より「ID番号」通知を受けた場合、ネットワークI/F４７を介して、図８に示す情報サーバーより、通知された「ID番号」を持つ図１１に示すアニメ処理データの取得を行い、取得した「アニメ処理データ」の中の「アニメーションデータ」を取り出しファイルシステムＦへ保存し、アニメーション再生処理部５１へ対して、ファイルシステムＦに保存した「アニメーションデータ」の再生を指示する。
【００７１】
アニメーション再生処理部５１は、ファイルシステムＦに保存されている「アニメーションデータ」を再生し、再生した映像・音声データを映像・音声多重化ブロック４５に送る。また、再生中に適宜、状態通知をデータ処理機能部５０へ通知する。
【００７２】
また映像・音声多重化ブロック４５は、TVセットが受信している放送の映像・音声に対して、送られてきたアニメーションデータが再生された映像・音声データを多重化する。データ処理機能部５０は、アニメーション再生処理部５１からの状態通知が取得している「アニメ処理データ」の中の「実行タイミング」の内容と一致するか監視しており、一致する状態通知が来た際に、「アニメ処理データ」の中の「操作指示」の内容の操作依頼をシステム制御機能ブロック４１に通知する。システム制御機能ブロック４１は、データ処理機能部５０より通知された操作をTVセット上で実施する。
【００７３】
これらのような機能を有することにより、情報サーバー上に置かれるアニメ処理データのID番号を組み合わせて、トリガアクション管理部４９に保持し、トリガアクションがTVセット上で実施された際に、データ処理機能部５０にて、情報サーバーよりアニメ処理データを取得し、アニメーション再生処理部５１でアニメーション再生し、同時に登録されているTV操作を実施させることにより、TV画面上に任意のアニメーションを表示しながら、アニメーション表示中の任意のタイミングで任意の処理を実施する機能を提供できる。
【００７４】
例えば、本実施形態で追加するデータ作成クライアント機能４８によって、トリガアクションとして“OFFタイマ発動”を選択し、それに連動するアニメ処理データとして、情報サーバー上にある、前述の”アニメ処理データＡ“を選択した場合には、ユーザーがTVセットの持っているOFFタイマ機能実行し、設定時間が経過しOFFタイマが発動した際、いきなりTVセットがOFFになるのではなく、画面上にＴＶの人気キャラクターが現れ「そろそろ休憩する時間だよ」というせりふと共にスイッチをＯＦＦする動きを行い、それにあわせてTVセットの電源がOFFされるという動きが実現される。
【００７５】
また、図８に示す情報サーバー７０は、接続されるそれぞれのTVセットに対応したディレクトリを持ち、そこに、図８のように、ネットワーク上に接続されているPC等の情報端末などから、図９に示すようなアニメ処理データが事前に登録されている。
【００７６】
図８の情報サーバーに登録されるアニメ処理データの構造は、図９に示すように、「アニメーションデータ」、「操作指示」、「操作タイミング」、「ID番号」の各情報を一つにまとめたものである。
【００７７】
たとえば、“アニメ処理データＡ”として、以下のような情報を持つデータが作成される。
「アニメーションデータ」部分には、任意の形式のアニメーションのデータ（たとえば、Flash（Ｒ）のようなもの）が設定される。実施例１では、たとえばＴＶの人気キャラクターが「そろそろ休憩する時間だよ」というせりふと共にスイッチをＯＦＦする動きをするアニメーションのデータが設定される。
【００７８】
「操作指示」部分には、アニメーション再生の際に行うべきＴＶセットに対して実施すべき操作（リモコン等でユーザーが実施できる操作すべてが対象）が設定される。実施例１では、たとえば、「TVの電源OFF操作」が設定される。
【００７９】
「操作タイミング」部分には、「操作指示」が前述のアニメーション再生のどの時点で実行されるか（再生開始直後、再生終了時点、開始5秒後など）が設定される。実施例１では、たとえば「アニメーション再生終了時点」が設定される。
【００８０】
「ID番号」部分には、情報サーバー側で、各アニメ処理データ毎にユニークな任意のID番号が登録される。
（実施例２）
実施例２では、実施例１の図８に示される「情報サーバー」および図４に示されるデータ作成クライアント機能４８の機能を拡張することにより、情報サーバーに登録するアニメ処理データの作成機能を追加する。
【００８１】
「情報サーバー」は、図１２に示すように、実施例１の情報サーバーに対して、「データ作成ツール」および「データ構成要素データ」を追加する。
「データ構成要素データ」は、アニメ処理データを作成するために、事前に「情報サーバー」上に用意されているデータベースであり、図１３に示すように、アニメーションデータを作成するための映像データの集まりである「Videoデータベース」、音声データの集まりである「音声データベース」、操作指示を設定するための操作指示の集まりである「操作リスト」、操作開始タイミングを設定するためのタイミング指定の集まりである「操作開始タイミングリスト」からなるデータベースを持っており、「データ作成ツール」の操作により、それぞれのデータベースから適宜データが読み出される。
【００８２】
「データ作成ツール」は、ネットワークを介して、外部の「データ作成クライアントツール」からの操作にて、図１３に示す「データ構成要素データ」より「Videoデータベース」・「音声データベース」・「操作リスト」・「操作開始タイミングリスト」のそれぞれから１つずつデータを選択し、それらを組み合わせたものに対して、ユニークなID番号を割り当て、新たなアニメ処理データを作成し、当該TVセットに対応するディレクトリへ保存する。
【００８３】
「データ作成クライアントツール」は、実施例１の「データ作成クライアントツール」に対して、「データ作成ツール」に対するクライアント機能が追加される。この機能は、TVセットのメニューに新たに追加される「アニメ処理データ作成メニュー」より起動され、この機能が起動すると、「データ作成クライアントツール」はネットワークを介し、「情報サーバー」より図１３に示す「データ構成要素データ」を取得し、図１４に示すようなデータ作成ツール画面に選択肢のリストとして表示し、各リモコン操作によりデータを選択することでアニメ処理データを作成する機能を実現する。
【００８４】
この際、システム制御機能ブロック４１から「データ作成クライアントツール」に対して、リモコンの操作情報が送られ、このリモコン操作情報により図１４のデータ作成ツール画面が操作され、選択されたデータの種類などの情報はネットワークを介して、「情報サーバー」上の「データ作成ツール」に送られる。
【００８５】
（実施例３）
実施例３は、図１２に示す実施例２の「データ作成クライアントツール」をTVセットではなく、図１５に示すように、ネットワーク上の情報端末の上で実行することも可能にするものである。
【００８６】
（実施例４）
実施例４は、本実施形態のトリガ情報として、放送自体に含まれる情報（たとえばデータ放送のデータなど）を用いる例を挙げる。
たとえば、日本のTV放送におけるデータ放送の機能で説明すると、放送局側で、あらかじめ任意のサーバー上にアニメ処理データを用意しておき、データ放送の情報として、本実施形態におけるサーバーの情報（任意のサーバー上のURLなど）やトリガ情報（たとえば番組のジャンル情報など）を配信することを考える。
【００８７】
本実施例では、実施例１のTVセットに対して、図４の信号デコード処理ブロック４３に対して、放送局が配信するデータ放送の情報を受け取り、それに応じて、システム制御機能ブロック４１を操作し、本実施形態におけるアニメ処理データを読み出しに行く情報サーバーのURLを設定し、また本実施形態の機能におけるトリガ処理を設定することができる機能を追加する。
【００８８】
これによって、たとえば、子供向け番組のジャンルの放送の際などに、電源をOFFするアニメ処理データと番組終了時点をトリガとするような設定など、放送内容に応じてユーザーが使いたいと思われる機能を、放送局側が任意のサーバーに用意しておき、ユーザーが利用するようなサービスが可能になる。
【００８９】
（実施例５）
実施例５としては、実施例４のTVセットに対して、データ放送からのトリガ処理の設定の許可/不許可をTVセット側に設定する機能を追加する。これによって、ユーザーは放送におけるデータ放送の情報を使うかを任意に設定できるようになる。この機能は、他の機能と同様にリモコンの汎用的なキーとTVセットの表示とを用いたＵＩにおける対話的な設定により実現できるが、専用のサイドキー２１ａを用いてトグル設定（即ち、押すたびに許可/不許可が入れ替わる設定）できるように構成してもよい。
【００９０】
実施例１におけるトリガアクションを、TVセット上のシステム制御機能ブロック４１が実行する任意の制御だけではなく、ネットワーク上に接続されている情報端末等からの制御を加えても良い。これにより、外部機器よりの制御のタイミングでアニメ処理データに登録されている処理を実行させることも可能である。
【００９１】
実施例１の機能により、幼児や高齢者など既存のTV機能のインターフェイスを理解しにくい視聴者に対して、アニメーション表示と連動した動作とすることで、TV上での動作を的確に理解させることが可能になる。
【００９２】
たとえば、幼児の場合、親がTV視聴時間などの制限を行うため、OFFタイマ設定等を行った場合、既存のTVの機能のままでは、OFFタイマが発動した場合、一応警告画面等はでるが、幼児には表示内容は理解できないため、突然TVセットが電源OFFされる状態になる。これに対して、本実施形態の機能を用いることで、OFFタイマ発動時にアニメーションにてキャラクター等が画面上で「テレビの時間は終わりだよ」等の台詞や電源OFFするアニメーション動作を表示するなどして電源をOFFすることで、幼児でもTVセットの機能が理解しやすい。
【００９３】
また、高齢者の場合、ボリューム表示などが小さいOSD表示は認識しづらい。このような場合、無音期間などにボリューム操作した場合など、OSD表示が認識できないと、どの程度ボリュームが大きく設定できたかわかりづらい。このような場合でも、本機能にて、ボリューム操作時に、アニメーションにてボリュームUp操作をイメージする映像と「音量を上げています」という音声が再生されることにより、実際に出てくる音声と操作内容が理解しやすい。
【００９４】
実施例２および３の機能により、TVセット側にHWやSWの機能追加を行うことなく、対応可能なアニメーション処理の種類をユーザー操作にて増やすことが可能となる。サーバー側にこの機能の主体を置いているためである。
【００９５】
（実施形態のまとめ）
以下のような内容を説明した。
（１）．あらかじめサーバー上に、TVの操作の内容と同時に或いは先行して表示させるアニメーションの情報を登録しておき、ユーザーが発する操作などのトリガにより、TV画面上に登録してあるアニメーションを表示しながらTVを操作する機能
【００９６】
（２）．TV本体もしくは、外部の情報端末等から、サーバーに登録する操作・アニメーションの情報を編集・登録する機能
（３）．サーバー側より編集可能なアニメーションや操作の情報のリストを表示させ、選択させることで、（２）に示す編集・登録を云わば補助する機能をもつ情報サーバー
【００９７】
本実施形態の特徴は次のようである。
（１）基本的な目的は、任意のTV上の動作に応じて、任意のアニメーション再生と操作を実行する。
（２）動作のトリガは、ユーザーのアクションだけではなく、TVの内部動作も対象としている。
（３）アニメーションの再生と同時にTVへの操作処理が行われる。
即ち、映像上に任意のアニメーションをユーザー操作に基づき重畳するという従来から行われている点でも、トリガ自体がユーザーアクションとTV上の動作と定義が異なる。また、発生する処理も、従来はアニメーションの再生だけであり、本実施形態では再生と操作が行われる。つまり、アニメーションの再生のタイミングを図るのが目的ではなく、TVの任意の動作に対して、”任意のアニメーション再生と同時に任意の操作を実施” するというのが本実施形態の目的である。
【００９８】
本実施形態の特徴は次のようでもある。
（１）基本的に事前にサーバーにおいてあるコンテンツを登録して再生する。
（２）動作のトリガは、ユーザーのアクションだけではなく、TVの内部動作も対象としている。
（３）アニメーションの再生と同時に或いは続いてTVへの操作処理が行われる。
（４）アニメーションデータはシステムの外にある（特定されない）。
即ち、アニメーションデータ自体が本体になく、サーバーから読み出すつくりになっており、再生するアニメーションの内容・効果等は、システム自身の状態に依存しない。また、トリガ検出後、TVへ実行する任意のアクションを認知させるためにアニメが再生される（検出したトリガの操作を認知させるためにアニメが再生されるのではない）。
【００９９】
つまり、ユーザーが設定した任意のアクションをアニメーションにて、ユーザーへ認知させることが目的である（ユーザーの操作（システム状態）をアニメーションにて、ユーザーへ認知させるのが目的なのではない）。
【０１００】
なお、この発明は上記実施形態に限定されるものではなく、この外その要旨を逸脱しない範囲で種々変形して実施することができる。例えば、ＰＣ等情報端末としてはスレート或いはタブレット型のもの等に限定されず、所謂スマートフォンなどでもよい。
【０１０１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【０１０２】
１…ＤＴＶ、２０…リモートコントローラ、２１…キー、２２…タッチパッド、２３…十字キー、２４…リモコン制御部、２５…発信部、１１０…スピーカ、１２０…表示部、１００…信号処理部、１１６…操作部、１１８…受信部、１１９…メモリカード、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１６０…カードＩ／Ｆ、１６１…カードホルダ、１６４…ＬＡＮ  Ｉ／Ｆ、１６６…ＵＳＢ  Ｉ／Ｆ、１６８…アナログチューナ、１６９…アナログ復調器、１７０…ＨＤＤ。
１０…タブレットコンピュータ、１７…タッチスクリーンディスプレイ、１７Ａ…ＬＣＤ、１７Ｂ…タッチパネル、１７Ｃ…デジタイザ、１９…ペン、１０１…ＣＰＵ、１０３…主メモリ、１０４…グラフィクスコントローラ、１０６…不揮発性メモリ、２０１…オペレーティングシステム、２０２…デジタルノートブックアプリケーションプログラム。
【図１】
2014140142.tif 000003
【図２】
2014140142.tif 000004
【図３】
2014140142.tif 000005
【図４】
2014140142.tif 000006
【図５】
2014140142.tif 000007
【図６】
2014140142.tif 000008
【図７】
2014140142.tif 000009
【図８】
2014140142.tif 000010
【図９】
2014140142.tif 000011
【図１０】
2014140142.tif 000012
【図１１】
2014140142.tif 000013
【図１２】
2014140142.tif 000014
【図１３】
2014140142.tif 000015
【図１４】
2014140142.tif 000016
【図１５】
2014140142.tif 000017